(57)【要約】【課題】腕金等に対する着脱がより簡便な絶縁カバーを提供する。【解決手段】絶縁カバー１は、所定方向の両端側を互いに近接させるように湾曲又は折曲した所定形状への復元性を有する弾性部材と、弾性部材が取り付けられた袋状の絶縁体とを備え、絶縁体は、開放時に当該絶縁体が形成する袋の内外の通気が可能となる通気部３０以外が密閉されており、通気部３０が開放されている場合に所定方向の形状が弾性部材の所定形状に従った第１形状となり、袋に気体が満たされて通気部３０が閉じられている場合に第１状態に比して所定方向の両端側を離隔させるように膨らんだ第２形状となる。【選択図】図３
2017192217.tif 000002
【特許請求の範囲】
【請求項１】
所定方向の両端側を互いに近接させるように湾曲又は折曲した所定形状への復元性を有する弾性部材と、
前記弾性部材が取り付けられた袋状の絶縁体とを備え、
前記絶縁体は、開放時に当該絶縁体が形成する袋の内外の通気が可能となる通気部以外が密閉されており、前記通気部が開放されている場合に前記所定方向の形状が前記弾性部材の前記所定形状に従った第１形状となり、前記袋に気体が満たされて前記通気部が閉じられている場合に前記第１状態に比して前記所定方向の両端側を離隔させるように膨らんだ第２形状となる
絶縁カバー。
【請求項２】
前記弾性部材は、形状記憶合金である
請求項１に記載の絶縁カバー。
【請求項３】
前記絶縁体が形成する前記袋は、前記所定方向について前記弾性部材が所定形状を取る場合に湾曲又は折曲する変形部分の両端を越える範囲に連続している
請求項１又は２に記載の絶縁カバー。
【発明の詳細な説明】
【技術分野】
【０００１】
本発明は、絶縁カバーに関する。
【背景技術】
【０００２】
腕金、電線等の送電施設に係る構成（以下、腕金等と記載することがある）を絶縁状態で被覆することを目的として腕金等に取り付けられる絶縁カバーが知られている（例えば特許文献１）。
【先行技術文献】
【特許文献】
【０００３】
【特許文献１】特開２０１５−１００１６４号公報
【発明の概要】
【発明が解決しようとする課題】
【０００４】
絶縁カバーは、例えば工事等に際して腕金等に取り付けられ、工事が完了した場合に腕金等から取り外される。このため、絶縁カバーは、腕金等に対する着脱がより簡便であることが望ましい。しかしながら、従来は絶縁カバーを腕金等の外形に沿う形状とするように被せたうえでクリップ等で挟持する作業及び腕金等から取り外すためにクリップ等を取り外して絶縁カバーを剥がす作業を手作業で行う必要があり、煩雑であった。
【０００５】
本発明は、上記の課題に鑑みてなされたもので、腕金等に対する着脱がより簡便な絶縁カバーを提供することを目的とする。
【課題を解決するための手段】
【０００６】
本発明の一態様による絶縁カバーは、所定方向の両端側を互いに近接させるように湾曲又は折曲した所定形状への復元性を有する弾性部材と、前記弾性部材が取り付けられた袋状の絶縁体とを備え、前記絶縁体は、開放時に当該絶縁体が形成する袋の内外の通気が可能となる通気部以外が密閉されており、前記通気部が開放されている場合に前記所定方向の形状が前記弾性部材の前記所定形状に従った第１形状となり、前記袋に気体が満たされて前記通気部が閉じられている場合に前記第１状態に比して前記所定方向の両端側を離隔させるように膨らんだ第２形状となる。
【図面の簡単な説明】
【０００７】
【図１】図１は、本発明の実施形態に係る絶縁カバーの構成の一例を示す平面図である。
【図２】図２は、図１に示す絶縁カバーのＡ−Ａ断面図である。
【図３】図３は、弾性部材が所定形状に復元している場合の絶縁カバーの形状の一例を示す図である。
【図４】図４は、弾性部材が所定形状に復元している場合の絶縁カバーの形状の一例を示す図である。
【図５】図５は、絶縁部が膨らんだ状態で密閉されている場合の絶縁カバーの形状の一例を示す図である。
【図６】図６は、本発明の実施形態に係る絶縁カバーの構成の別の一例を示す平面図である。
【図７】図７は、弾性部材が所定形状に復元している場合の絶縁カバーの形状の一例を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、本発明の実施形態に係る絶縁カバー１の構成の一例を示す平面図である。絶縁カバーは、絶縁部１０、弾性部材２０を備える。図２は、図１に示す絶縁カバー１のＡ−Ａ断面図である。
【００１０】
絶縁部１０は、弾性部材が取り付けられた袋状の絶縁体である。具体的には、絶縁部１０は、例えば図１及び図２に示すように所定方向（例えば、Ｘ方向）について湾曲、折曲等の変形を生じていない平坦な状態の場合に、平面視の形状が矩形状の袋である。本実施形態の説明では、当該平面に沿い互いに直交する２方向をＸ方向、Ｙ方向とし、Ｘ方向及びＹ方向に直交する方向をＺ方向とする。
【００１１】
絶縁部１０は、開放時に当該絶縁体が形成する袋の内外の通気が可能となる通気部３０を有する。具体的には、通気部３０は、例えば、キャップ取り付け部３１、キャップ３２、延出部３３等を有する。キャップ取り付け部３１は、例えば樹脂を用いて形成された輪状の部材であり、延出部３３の先端側に固定されている。キャップ３２は、例えば輪状のキャップ取り付け部３１の内側に対する嵌合と嵌合の解消とを切替可能に設けられた樹脂製の栓である。延出部３３は、絶縁部１０から延出する筒状の絶縁体であり、絶縁部１０により形成された袋の内部と連続する通気路３５を形成している。キャップ取り付け部３１の輪の内側は、通気口３５と連続している。また、絶縁部１０は、通気部以外が密閉されている。このため、空気等の気体を送り込むポンプをキャップ取り付け部３１に取り付けて通気路３５を通して絶縁部１０内に気体を送り込むことによって絶縁部１０を膨らませることができる。
【００１２】
キャップ３２は、絶縁カバー１に固定されている紐状のキャップ吊り下げ部３４等によって絶縁カバー１と連結されていてもよい。この場合、延出部３３は、キャップ取り付け部３１に対する取り付けの有無に関わらず通気部３０付近で保持される。
【００１３】
弾性部材２０は、所定方向（例えば、Ｘ方向）の両端側を互いに近接させるように湾曲又は折曲した所定形状への復元性を有する部材である。具体的には、弾性部材２０は、例えば形状記憶合金である。図１に示す弾性部材２０は、平面視の形状が絶縁部１０の矩形の対角線をなぞるよう設けられたＸ状の形状であるが、弾性部材２０の形状は適宜変更可能である。例えば、弾性部材２０は、Ｘ方向に沿った湾曲及び折曲を生じていない形状である場合にＸ−Ｙ平面に沿う板状の形状を取る部材であってもよい。
【００１４】
弾性部材２０は、絶縁部１０に固定されている。具体的には、弾性部材２０は、例えば図２に示すように、Ｘ−Ｙ平面に沿う一方の側部（例えば、図２に示す下側の側部）が、袋状の絶縁部１０の内側で当該袋を形成する絶縁部１０の複数層の膜の少なくとも１つに固定されている。
【００１５】
図３及び図４は、弾性部材２０が所定形状に復元している場合の絶縁カバー１の形状の一例を示す図である。弾性部材２０は、他の部材（例えば、絶縁部１０等）からの外的な押圧力を受けない状態における形状が、図２に示すようなＸ方向に沿った湾曲及び折曲を生じていない形状に比して、少なくとも一部分が湾曲又は折曲して両端側を互いに近接させた形状になる。本実施形態の弾性部材２０は、Ｙ方向に延設されている腕金２を外側から被覆する形状に復元する。具体的には、弾性部材２０は、例えば図３、図４に示すように、Ｘ−Ｚ平面に沿う形状が矩形状である腕金２の外縁に沿う形状を所定形状としている。ここで、通気部３０が開放されて絶縁部１０が膨らんでいない場合、弾性部材２０に対して絶縁部１０が押圧力を加えることはない。このため、絶縁カバー１は、弾性部材２０の復元性に従い、所定形状に沿った形状になる。ここで、弾性部材２０が所定形状となった場合の両端側の距離を腕金２のＺ方向の幅よりも小さくしておくことで、絶縁カバー１は、弾性部材２０の復元性によって腕金２を挟持することができる。
【００１６】
図５は、絶縁部１０が膨らんだ状態で密閉されている場合の絶縁カバー１の形状の一例を示す図である。本実施形態では、弾性部材２０が所定形状に復元しようとする力は、絶縁部１０内に送り込まれた気体が絶縁部１０を膨らんだ形状にしようとする力よりも弱い。言い換えれば、弾性部材２０は、弾性を決定する要素（例えば、弾性部材２０の素材及び厚み等）が弾性部材２０が所定形状に復元しようとする力が絶縁部１０内に送り込まれた気体が絶縁部１０を膨らんだ形状にしようとする力よりも弱くなるよう設けられている。このため、絶縁部１０内に気体が送り込まれて膨らむと、絶縁カバー１は、絶縁部１０の膨らんだ形状に従い、所定方向（例えば、Ｘ方向）に沿う形状となる。すなわち、絶縁カバー１は、絶縁部１０が膨らんだ場合、弾性部材２０の湾曲又は折曲の度合いを低減させて所定方向（例えば、Ｘ方向）に沿う形状に近づけるように押圧力を加える。
【００１７】
このように、絶縁部１０は、通気部３０が開放されている場合に所定方向（例えば、Ｘ方向）の形状が弾性部材２０の所定形状に従った第１形状（例えば、図３、図４に示す形状）となり、袋に気体が満たされて通気部３０が閉じられている場合に第１状態に比して所定方向の両端側を離隔させるように膨らんだ第２形状（例えば、図５に示す形状）となる。
【００１８】
図５に示すような第２形状である場合、絶縁カバー１は腕金２を挟持しないので、絶縁カバー１からの取り外しが容易である。また、絶縁カバー１を腕金２に取り付ける場合、絶縁部１０が膨らんだ状態でキャップ３２によって密閉されることで係る第２形状を取っている状態の絶縁カバー１の所定方向（例えば、Ｘ方向）の一端側を図５に示すように腕金２のＸ方向に沿う側部に沿わせるように配置する。係る配置でキャップ３２を取り外して通気部３０を開放することで、絶縁部１０内から気体が抜けて膨らみによる第２形状の保持力が失われる。これによって、絶縁カバー１は、弾性部材２０の復元力に従い、図３、図４に示すような第１形状を取って腕金２を挟持する。このように、第１形状である絶縁カバー１を腕金２の近傍に配置して通気部３０を開放することで、容易に絶縁カバー１を腕金２に取り付けることができる。
【００１９】
また、絶縁カバー１を腕金２から取り外す場合、例えば間接活線工法で用いられる杖状の工具等を用いてキャップ取り付け部３１にポンプを接続し、気体を送り込むことで絶縁カバー１を第２形状から第１形状にする。これによって、絶縁カバー１による腕金２の挟持が解消されるので、容易に絶縁カバー１を腕金２から取り外すことができる。
【００２０】
なお、本実施形態の絶縁カバー１は、腕金２に取り付けられていない非使用時に気体を抜いておいてもよい。この場合、弾性部材２０は所定形状に復元しようとするが、非使用時に弾性部材２０の復元力を上回る外的な押圧力によって絶縁カバー１を任意の形状としてもよい。例えば、絶縁カバー１をＸ方向に沿う平坦な形状としてもよいし、１か所以上で折り曲げて畳んでもよい。本実施形態の弾性部材２０は形状記憶合金であるので、使用前に変態点以上に加熱することで所定形状に戻すことができる。すなわち、本実施形態の弾性部材２０は第１形状への復元性を容易に回復させることができるので、非使用時によりコンパクトな形状で収納することができる。
【００２１】
以上説明したように、本実施形態によれば、絶縁部１０を膨らませるか否かで絶縁カバー１の形状を容易に変えることができるので、絶縁カバーを腕金等の外形に沿う形状とするように被せる作業及び腕金等から取り外すために剥がす作業並びにクリップ等の挟持に係る構成が不要となり、腕金等に対する着脱がより簡便になる。また、絶縁カバーの腕金等に対する着脱の時間を短縮することができる。また、クリップ等が不要になることから、絶縁カバー付近の構成の凸凹を減らしやすくなり、絶縁カバー付近をよりすっきりした状態にすることができる。
【００２２】
また、弾性部材が形状記憶合金であるので、第１形状への復元性を容易に回復させることができる。よって、非使用時によりコンパクトな形状で収納することができる。
【００２３】
なお、本発明の具体的な形態は適宜変更可能である。例えば、絶縁体が形成する袋は絶縁部１０のように全体的でなくともよく、所定方向について弾性部材２０が所定形状を取る場合に湾曲又は折曲する変形部分の両端を越える範囲に連続している部分があればよい。
【００２４】
図６は、本発明の実施形態に係る絶縁カバー１の構成の別の一例を示す平面図である。例えば図６に示すように、絶縁カバー１Ａの絶縁部１０Ａは、通気部３０を介して空気が送り込まれた場合に膨らむ膨張部１１と、通気部３０を介した空気の送り込みの有無に関わらず膨らまない非膨張部１２とを有していてもよい。図６に示す例では、絶縁カバー１Ａは、平面視の形状が矩形状である非膨張部１２に弾性部材２０が固定されると共に平面視で非膨張部１２の四辺を囲うように連続する膨張部１１が設けられている絶縁部１０Ａを有する。この場合、膨張部１１が、絶縁部１０が形成する袋として機能している。係る膨張部１１に空気が送り込まれた場合、所定方向（例えば、Ｘ方向）に連続する膨張部１１の膨らみによって絶縁カバー１Ａが第２形状を取る。通気部３０が開放されている場合、弾性部材２０の復元性に従って絶縁カバー１Ａが第１形状を取る。
【００２５】
絶縁体が取り得る形態は、図１等で示す絶縁部１０、図６で示す絶縁部１０Ａに限られるものでなく、適宜変更可能である。ただし、絶縁部１０が形成する袋は、所定方向について弾性部材２０が所定形状を取る場合に湾曲又は折曲する変形部分の両端を越える範囲で連続する部分を１つ以上有する。
【００２６】
また、弾性部材の所定形状は、絶縁カバーが取り付けられる構成の形状に応じて適宜変更可能である。図７は、弾性部材２０Ａが所定形状に復元している場合の絶縁カバー１Ｂの形状の一例を示す図である。図７に示すように、弾性部材２０Ａの所定形状をＸ−Ｚ平面に沿う形状が円状である構成（例えば、電線３等）の外縁に沿う形状とすることで、絶縁カバー１Ｂを係る構成に取り付けることができる。弾性部材の所定形状は、図３、図４で示す弾性部材２０の所定形状、図７で示す弾性部材２０Ａの所定形状に限られるものでなく、適宜変更可能である。
【００２７】
また、弾性部材は形状記憶合金に限られるものでなく、適宜変更可能である。例えば、弾性部材は、板バネ等の弾性及び所定形状への復元性を有する部材であってもよい。
【００２８】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００２９】
１，１Ａ，１Ｂ  絶縁カバー
２  腕金
３  電線
１０，１０Ａ  絶縁部
２０，２０Ａ  弾性部材
３０  通気部
３１  キャップ取り付け部
３２  キャップ
３３  延出部
３４  キャップ吊り下げ部
３５  通気路
【図１】
2017192217.tif 000003
【図２】
2017192217.tif 000004
【図３】
2017192217.tif 000005
【図４】
2017192217.tif 000006
【図５】
2017192217.tif 000007
【図６】
2017192217.tif 000008
【図７】
2017192217.tif 000009